(57)【要約】【課題】軸筒に保持される筆記体の先端部を、軸筒に対して移動可能に取り付けられたキャップで覆うことが可能となった筆記具において、キャップの封止状態と封止解除状態との切替をより安定して確実に行うことができるようにする。【解決手段】キャップ３０に設けられたガイド３６と、キャップ３０を後方へと付勢するノックスプリング３４と、筆記体１６に形成されてガイド３６と係合可能となったガイド溝１９と、軸筒１０に形成されてガイド３６と係合可能となったガイド溝１５と、を備える。ガイド３６は、キャップが封止解除状態にあるときにはガイド溝１９にのみ係合し、キャップ３０が封止状態にあるときにはガイド溝１５にのみ係合する。ガイド溝１９は、キャップ３０を封止解除状態から前進させて回動させた後、後退させて封止状態になるように、ガイド３６の移動を案内し、ガイド溝１５は、キャップ３０を封止状態から前進させて回動させた後、後退させて封止解除状態になるように、ガイド３６の移動を案内する。【選択図】図１
2008110580.tif 000002
【特許請求の範囲】
【請求項１】
軸筒と、軸筒に保持されて、その先端部が軸筒よりも前方に突出した筆記体と、前記筆記体の先端部を覆うことが可能なキャップ部を備えて筆記体の先端部の封止状態と封止解除状態とに切り替わるべく軸筒に対して移動可能に取り付けられたキャップと、該キャップを操作する操作部材と、を備える筆記具において、
キャップに設けられたガイドと、
キャップを後方へと付勢する付勢部材と、
ガイドと係合可能となっており、キャップを封止解除状態から前進させて回動させた後、後退させて封止状態になるように、前記ガイドの移動を案内する第１ガイド路と、
ガイドと係合可能となっており、キャップを封止状態から前進させて回動させた後、後退させて封止解除状態になるように、前記ガイドの移動を案内する第２ガイド路と、
を備え、
前記ガイドは、キャップが封止解除状態にあるときには第１ガイド路にのみ係合し、キャップが封止状態にあるときには第２ガイド路にのみ係合することを特徴とする筆記具。
【請求項２】
前記第１ガイド路と第２ガイド路は、前記ガイドを挟んで対向して設けられ、ガイドは前記第１ガイド路と第２ガイド路の間を移動可能にキャップに設けられることを特徴とする請求項１記載の筆記具。
【請求項３】
前記第１ガイド路（１９）は、キャップを封止解除状態から前進させるようにガイドの移動を案内する第１ガイド部（１９ａ）と、キャップを回動させるようにガイドの移動を案内する中央部（１９ｃ）と、キャップを後退させる第２ガイド部（１９ｂ）と、を備え、
前記第２ガイド路（１５）は、キャップを封止状態から前進させるようにガイドの移動を案内する第１ガイド部（１５ｂ）と、キャップを回動させるようにガイドの移動を案内する中央部（１５ｃ）と、キャップを後退させる第２ガイド部（１５ａ）と、を備え、
第１ガイド路（１９）の第１ガイド部（１９ａ）と第２ガイド路（１５）の第２ガイド部（１５ａ）とが対向する一方で、第１ガイド路の第１ガイド部（１９ａ）の方が第２ガイド路の第２ガイド部（１５ａ）よりも後方へと延長しており、
第１ガイド路（１９）の第２ガイド部（１９ｂ）と第２ガイド路（１５）の第１ガイド部（１５ｂ）とが対向する一方で、第２ガイド路の第１ガイド部（１５ｂ）の方が第１ガイド路の第２ガイド部（１９ｂ）よりも後方へと延長していることを特徴とする請求項２記載の筆記具。
【請求項４】
前記第１ガイド路（１９）の中央部（１９ｃ）は、第１ガイド部（１９ａ）の前端から第２ガイド部（１９ｂ）の前端に向かって前方へと傾斜して伸びており、前記第２ガイド路（１５）の中央部（１５ｃ）は、第１ガイド部（１５ｂ）の前端から第２ガイド部（１５ａ）の前端に向かって前方へと傾斜して伸びていることを特徴とする請求項３記載の筆記具。
【請求項５】
前記第１ガイド路と第２ガイド路は溝であり、ガイドは溝内に挿入されることで第１ガイド路及び第２ガイド路に係合することを特徴とする請求項３または４記載の筆記具。
【請求項６】
前記第１ガイド路（１９）の第２ガイド部（１９ｂ）と第２ガイド路（１５）の第２ガイド部（１５ａ）のそれぞれの後端部は、後方に向かうに連れて漸次溝底が浅くなることを特徴とする請求項５記載の筆記具。
【請求項７】
前記キャップは、軸筒と筆記体との間を挿通する一対のアーム部を備え、一対のアーム部が前記キャップ部を支持することを特徴とする請求項１ないし６のいずれか１項に記載の筆記具。
【請求項８】
第１ガイド路は軸筒と筆記体のいずれか一方に、第２ガイド路は軸筒と筆記体のいずれか他方に設けられ、前記ガイドはアーム部に摺動可能に設けられて、ガイドが第１ガイド路と第２ガイド路の少なくとも一方に挿入される状態となっていることを特徴とする請求項７記載の筆記具。
【請求項９】
前記キャップは、操作部材に傾動可能に連結されることを特徴とする請求項１ないし８のいずれか１項に記載の筆記具。
【発明の詳細な説明】
【技術分野】
【０００１】
本発明は、軸筒に保持される筆記体の先端部を、軸筒に対して移動可能に取り付けられたキャップで覆うことが可能となった筆記具に関する。
【背景技術】
【０００２】
従来、この種の筆記具としては、特許文献１に記載されたものが知られている。
特許文献１に記載された筆記具では、軸筒に筆記体を保持させると共に筆記体の先端部を軸筒よりも前方に突出させ、軸筒内にスライド部材を軸方向に移動自在に設け、このスライド部材の先端部に前記筆記体の先端部を覆うことが可能な封止部材を連結すると共に、スライド部材に、軸筒の外部から操作可能で軸方向に移動可能な操作部を連結している。そして、軸筒または筆記体とスライド部材との間にスライド部材の軸方向の運動に応じてスライド部材及び封止部材を回動させる制御手段を設けており、例えば、制御手段は、軸筒に形成されたカム面と、スライド部材に形成されてカム面を移動する係合凸部とから構成されている。そして、カム面によって形成されるカム路は、封止部材が封止状態から封止解除状態へと切り替わるときと、封止解除状態から封止状態へと切り替わるときに、異なるカム路を構成しており、係合凸部が異なるカム路を通過することで、その切替が行われている。
【０００３】
【特許文献１】特開２００４−２６２２２２号公報
【発明の開示】
【発明が解決しようとする課題】
【０００４】
本発明は、上記従来の構成を改良して、封止部材であるキャップの封止状態と封止解除状態との切替をより安定して確実に行うことができる筆記具を提供することをその目的とする。
【課題を解決するための手段】
【０００５】
上記目的を達成するために、本発明のうち請求項１記載の発明は、軸筒と、軸筒に保持されて、その先端部が軸筒よりも前方に突出した筆記体と、前記筆記体の先端部を覆うことが可能なキャップ部を備えて筆記体の先端部の封止状態と封止解除状態とに切り替わるべく軸筒に対して移動可能に取り付けられたキャップと、該キャップを操作する操作部材と、を備える筆記具において、キャップに設けられたガイドと、キャップを後方へと付勢する付勢部材と、ガイドと係合可能となっており、キャップを封止解除状態から前進させて回動させた後、後退させて封止状態になるように、前記ガイドの移動を案内する第１ガイド路と、ガイドと係合可能となっており、キャップを封止状態から前進させて回動させた後、後退させて封止解除状態になるように、前記ガイドの移動を案内する第２ガイド路と、を備え、前記ガイドは、キャップが封止解除状態にあるときには第１ガイド路にのみ係合し、キャップが封止状態にあるときには第２ガイド路にのみ係合することを特徴とする。
【０００６】
請求項２記載の発明は、請求項１記載の前記第１ガイド路と第２ガイド路が、前記ガイドを挟んで対向して設けられ、ガイドは前記第１ガイド路と第２ガイド路の間を移動可能にキャップに設けられることを特徴とする。
【０００７】
請求項３記載の発明は、請求項２記載のものにおいて、前記第１ガイド路は、キャップを封止解除状態から前進させるようにガイドの移動を案内する第１ガイド部と、キャップを回動させるようにガイドの移動を案内する中央部と、キャップを後退させる第２ガイド部と、を備え、前記第２ガイド路は、キャップを封止状態から前進させるようにガイドの移動を案内する第１ガイド部と、キャップを回動させるようにガイドの移動を案内する中央部と、キャップを後退させる第２ガイド部と、を備え、第１ガイド路の第１ガイド部と第２ガイド路の第２ガイド部とが対向する一方で、第１ガイド路の第１ガイド部の方が第２ガイド路の第２ガイド部よりも後方へと延長しており、第１ガイド路の第２ガイド部と第２ガイド路の第１ガイド部とが対向する一方で、第２ガイド路の第１ガイド部の方が第１ガイド路の第２ガイド部よりも後方へと延長していることを特徴とする。
【０００８】
請求項４記載の発明は、請求項３記載のものにおいて、前記第１ガイド路の中央部は、第１ガイド部の前端から第２ガイド部の前端に向かって前方へと傾斜して伸びており、前記第２ガイド路の中央部は、第１ガイド部の前端から第２ガイド部の前端に向かって前方へと傾斜して伸びていることを特徴とする。
【０００９】
請求項５記載の発明は、請求項３または４記載のものにおいて、前記第１ガイド路と第２ガイド路は溝であり、ガイドは溝内に挿入されることで第１ガイド路及び第２ガイド路に係合することを特徴とする。
【００１０】
請求項６記載の発明は、請求項５記載のものにおいて、前記第１ガイド路の第２ガイド部と第２ガイド路の第２ガイド部のそれぞれの後端部は、後方に向かうに連れて漸次溝底が浅くなることを特徴とする。
【００１１】
請求項７記載の発明は、請求項１ないし６のいずれか１項に記載の前記キャップが、軸筒と筆記体との間を挿通する一対のアーム部を備え、一対のアーム部が前記キャップ部を支持することを特徴とする。
【００１２】
請求項８記載の発明は、請求項７記載のものにおいて、第１ガイド路は軸筒と筆記体のいずれか一方に、第２ガイド路は軸筒と筆記体のいずれか他方に設けられ、前記ガイドはアーム部に摺動可能に設けられて、ガイドが第１ガイド路と第２ガイド路の少なくとも一方に挿入される状態となっていることを特徴とする。
【００１３】
請求項９記載の発明は、請求項１ないし８のいずれか１項に記載の前記キャップが、操作部材に傾動可能に連結されることを特徴とする。
【発明の効果】
【００１４】
本発明によれば、ガイドは、キャップが封止解除状態にあるときには第１ガイド路にのみ係合し、キャップが封止状態にあるときには第２ガイド路にのみ係合しているので、キャップを封止解除状態から封止状態にするときには、第１ガイド路に沿ってガイドを案内することができ、キャップを封止状態から封止解除状態にするときには、第２ガイド路に沿ってガイドを案内することができ、確実に安定して、封止解除状態と封止状態とを切り替えることができる。
【００１５】
また、一対のアーム部によってキャップ部が支持されることによって、筆記体の封止状態をバランスよく安定して保持することができる。
【発明を実施するための最良の形態】
【００１６】
以下、図面を用いて本発明の実施の形態を説明する。
図１は、本発明に係る筆記具の実施の形態を表す全体縦断面図である。
【００１７】
図において、１０は軸筒であり、軸筒１０は、本体１２と先具１４の２部品から構成される。本例では、組立の便宜上軸筒を２部品で構成しているが、必ずしもこの部品点数に限るものではなく、１部品または３部品以上で構成することも可能である。
【００１８】
この本体１２と先具１４とは、図２に示したように、先具１４の後端部が本体１２の先端部内へと挿入されて一体化されて軸筒１０を構成する。軸筒１０はその横断面において、その内部形状が略四角形状となっている。本体１２の両側面の内面にはそれぞれ溝１２ａが形成され、先具１４の両側面の後端部にはそれぞれ切欠１４ａが形成されており、本体１２と先具１４とが一体化されたときに、溝１２ａと切欠１４ａは組み合されて、一対の横向きの変形Ｕ字形のガイド溝１５を形成するようになっている。
【００１９】
この変形Ｕ字形のガイド溝１５は、Ｕ字形の両脚部に対応する部分の長さが同じではなく、Ｕ字形の一方の脚部となる前後方向に伸びる前後溝部１５ａが長く、他方の脚部となる前後溝部１５ｂが短くなっている。長い方の前後溝部１５ａの後端部は、溝深さが後方に向うに連れて漸次浅くなっており、その末端はほとんど深さが０になるようになっている。また、Ｕ字形の中央部となる中央部１５ｃは前後方向に直交する方向よりも傾斜した方向に伸びており、その傾斜は、短い前後溝部１５ｂの側から長い前後溝部１５ａの側の方へと前方へ向かうようになっている。
【００２０】
本体１２の後端面は、前後方向に直角ではなく、直角から傾斜した傾斜形状となっている。
【００２１】
軸筒１０には筆記体１６が保持される。具体的には図３及び図４に示したように、筆記体１６は、筆記体本体１８、筆記体本体１８から突出するペン先２０、筆記体本体１８の内部に配設されてペン先２０に供給するインキが浸み込まれた中綿２２、及び筆記体本体１８の後部を封止する尾栓２４から構成されている。
【００２２】
筆記体本体１８の外表面には、本体１２の内部に形成された係止部１２ｂに係止される係止部１８ａが形成されており、係止部１２ｂと係止部１８ａの係止により筆記体１６は軸筒１０内で固定されている。筆記体本体１８の先端には、前方へと突出してペン先２０を包囲する突出部１８ｂが形成されている。ペン先２０は、突出部１８ｂから突出すると共に、軸筒１０の先端から前方へと突出して、筆記に供するようになっている。さらに、筆記体本体１８の先端には、突出部１８ｂと並んでキャップ受け１８ｃが形成されている。このキャップ受け１８ｃは、後述のキャップ３０が封止解除状態にあるときに、そのキャップ部３０ｃを受けるためのものであり、キャップ部３０ｃを軸筒１０内に収納することができるように、先具１４の先端よりも奥まった位置に位置づけられる。
【００２３】
筆記体本体１８の横断面の外部形状は軸筒１０の内部形状に合致するように略四角形状をなしており、その両側面の外面には変形Ｕ字形のガイド溝１９が形成されている。変形Ｕ字形のガイド溝１９は、Ｕ字形の両脚部に対応する部分の長さが同じではなく、Ｕ字形の一方の脚部となる前後溝部１９ａが長く、他方の脚部となる前後溝部１９ｂが短くなっている。短い方の前後溝部１９ｂの後端部は、溝深さが後方に向うに連れて漸次浅くなっており、その末端はほとんど深さが０になるようになっている。また、Ｕ字形の中央部となる中央部１９ｃは前後方向に直交する方向よりも傾斜した方向に伸びており、その傾斜は、長い前後溝部１９ａの側から短い前後溝部１９ｂの側へと前方へ向かうようになっている。
【００２４】
前記ペン先２０の先端部を不使用時に覆うキャップ３０は、軸筒１０と筆記体１６の間を挿通して軸筒１０に対して前後方向に移動可能に取り付けられると共に、上下方向に回動可能に配設される。キャップ３０は、図６に示したように、後端部が四角筒状の基部３０ａになっており、基部３０ａから一対のアーム部３０ｂ、３０ｂが前方へと伸びており、一対のアーム部３０ｂ、３０ｂの先端にはキャップ部３０ｃが一体に連結されている。この例では、このキャップ３０は一体の成形部品で構成されているが、例えばキャップ部３０ｃとアーム部３０ｂとを別部品として、複数の部品から構成することも可能である。アーム部３０ｂの後部には、内外に弾性変形可能となった突起３０ｄが形成されており、また、アーム部３０ｂの中間部には貫通孔３０ｅが形成されている。
【００２５】
キャップ３０の後端にはノック部材３２が連結される。ノック部材３２は、軸筒１０の後端から露出しており、軸筒１０の本体１２の傾斜した後端部の切欠部分を利用してノック部材３２のノック操作を可能とするものである。図７に示したように、ノック部材３２の横断面の外部形状も軸筒１０の内部形状に合致するように略四角形状をなしており、その両側面には軸方向に直交する方向に長い長孔３２ａが形成されている。そして、この長孔３２ａに、前記キャップ３０の突起３０ｄが摺動可能にはめ込まれることで、キャップ３０はノック部材３２に対して傾動・回動可能に連結される。また、ノック部材３２の内部には後端面から前方に向かって棒状部３２ｂが延設されており、この棒状部３２ｂの周囲にはノックスプリング３４が巻回される。ノックスプリング３４は、図１に示すように、ノック部材３２の後端面と筆記体１６の尾栓２４との間に介挿されており、ノック部材３２及びキャップ３０を常時後方へと付勢している。ノックスプリング３４は、棒状部３２ｂによってその曲げや横ずれが防止される。
【００２６】
キャップ３０の各アーム部３０ｂの貫通孔３０ｅにはガイド３６が挿入される。ガイド３６は貫通孔３０ｅに丁度適合した横断面形状を持った形状をなしており、貫通孔３０ｅを貫通すると共に、貫通孔３０ｅを摺動自在となっている。この例では、ガイド３６は円柱形状となっているが、多角柱形状や楕円柱形状とすることができる。または、中実構造とする代わりに、図１３に示したように、内部に空間部を設けて、外表面に突起部を形成することも可能である。これにより、突起部にバネ性を設けて、以下で述べるガイド溝との係合力を調整可能とすることができる。
【００２７】
図５は、軸筒１０に形成されたガイド溝１５を実線で、筆記体１６に形成されたガイド溝１９を破線で示したものである。ガイド溝１５とガイド溝１９とは、互いに対向する位置に設けられる。長い前後溝部１５ａと長い前後溝部１９ａが対向し、それぞれキャップ受け１８ｃ側にある。同様に、短い前後溝部１５ｂと短い前後溝部１９ｂとが対向し、それぞれペン先２０側にある。また、前後溝部１９ａは、後方に向かって溝深さが漸次浅くなる前後溝部１５ａよりも後方へ長く延びており、前後溝部１５ｂは、後方に向かって溝深さが漸次浅くなる前後溝部１９ｂよりも後方へ長く延びている。キャップ３０のアーム部３０ｂの貫通孔３０ｅを摺動自在となったガイド３６の両端は、ガイド溝１５及びガイド溝１９の少なくとも一方に挿入して係合されるようになっている。また、それぞれのガイド溝１５，１９の中央部１５ｃ、１９ｃの傾斜はそれぞれで反対の方向を向くように設定されている。
【００２８】
以上のように構成される筆記具においてその作用を図８ないし図１２を用いて説明する。まず、筆記体１６の使用時には、ガイド３６の端部は、ガイド溝１９の前後溝部１９ａに挿入されて、前後溝部１９ａの後端部に位置している。前後溝部１９ａの後端部に対向するガイド溝１５はないので、ガイド３６の端部は前後溝部１９ａにのみ係合されている（図９（ａ））。
【００２９】
このとき、キャップ３０のアーム部３０ａが図８、図１０Ａの上側に位置するようにキャップ３０はノック部材３２に対して回動しており、従って、キャップ部３０ｃはキャップ受け１８ｃに被着されており、ペン先２０が露出された封止解除状態にある。キャップ部３０ｃは軸筒１０内にほぼ収納された状態にあり、ペン先２０による筆記の邪魔になることはなく、筆記具を使用することができるようになっている。
【００３０】
筆記が終了して、ペン先２０を覆って保護することが所望されると、使用者によってノック部材３２がノックされる。このノックによるノック部材３２の前進によって、ノック部材３２に連結されたキャップ３０が前進し、このとき、ガイド３６はガイド溝１９の前後溝部１９ａの後端部を出発して、前後溝部１９ａに沿って移動し（図９（ａ）、図１０Ｂ）、さらに、中央部１９ｃへと移行する（図９（ｂ）、図１０Ｃ）。ガイド３６は、中央部１９ｃの傾斜に沿って前後溝部１９ｂの側にある中央部１９ｃの端部まで移動することができる（図１０Ｄ、図１０Ｅ）。そこで、ガイド３６、キャップ３０及びノック部材３２のさらなる前進はできなくなるので、ノック部材３２のノック力が解除されると、ノックスプリング３４の復元力によってガイド３６は前後溝部１９ｂを後退する（図９（ｃ））。前後溝部１９ｂは途中から溝深さが浅くなり、溝底によって押されたガイド３６はその反対側の端部が前後溝部１５ｂに挿入し、前後溝部１５ｂに沿って前後溝部１５ｂの後端部まで移動する（図１０Ｆ）。前後溝部１５ｂの後端部に対向するガイド溝１９はないので、ガイド３６の端部は前後溝部１５ｂにのみ係合さることになる（図９（ｄ））。
【００３１】
以上のガイド３６の移動により、ガイド３６と共に移動するキャップ３０は前進した後、ノック部材３２に対して回動して、その後、後退する。このとき、キャップ３０のキャップ部３０ｃはキャップ受け１８ｃから離れて、ペン先２０の方へと回動して、ペン先２０を包囲する。即ち、アーム部３０ｂは図１１、図１２Ａの下側に位置するようにキャップ３０はノック部材３２に対して回動する。キャップ３０及びノック部材３２はノックスプリング３４によって後方へと付勢されているので、キャップ部３０ｃは筆記体本体１８の突出部１８ｂの先端に密着し、ペン先２０を密閉状態に包囲して、ペン先２０の乾燥を防ぐことができる。
【００３２】
次に、筆記することが所望されると、使用者によってノック部材３２が再びノックされる。このノックによるノック部材３２の前進によって、ノック部材３２に連結されたキャップ３０が前進し、このとき、ガイド３６はガイド溝１５の前後溝部１５ｂの後端部を出発して、前後溝部１５ｂに沿って移動し（図９（ｅ）、図１２Ｂ）、さらに、中央部１５ｃへと移行する（図９（ｆ）、図１２Ｃ）。ガイド３６は、中央部１５ｃの傾斜に沿って前後溝部１５ａの側にある中央部１５ｃの端部まで移動することができる（図１２Ｄ）。そこで、ガイド３６、キャップ３０及びノック部材３２のさらなる前進はできなくなるので、ノック部材３２のノック力が解除されると、ノックスプリング３４の復元力によってガイド３６は前後溝部１５ａを後退する（図９（ｇ）、図１２Ｅ）。前後溝部１５ａは途中から溝深さが浅くなり、溝底によって押されたガイド３６はその反対側の端部が前後溝部１９ａに挿入し、前後溝部１９ａに沿って前後溝部１９ａの後端部まで移動する（図１２Ｆ）。前後溝部１９ａの後端部に対向するガイド溝１５はないので、ガイド３６の端部は前後溝部１９ａにのみ係合されることになる（図９（ｈ））。
【００３３】
以上のガイド３６の移動により、ガイド３６と共に移動するキャップ３０は前進した後、ノック部材３２に対して回動して、その後、後退する。このとき、キャップ３０のキャップ３０ｃはペン先２０から離れて、キャップ受け１８ｃの方へと回動して、キャップ受け１８ｃに被さる。こうして、ペン先２０が露出するので、筆記が可能となる。
【００３４】
以上のように、この実施形態では、キャップ３０が封止解除状態にあるときにはガイド溝１９にのみ係合し、キャップ３０が封止状態にあるときにはガイド溝１５にのみ係合しているので、ノック部材３２の交互のノックにより、ガイド３６は、案内されるガイド溝が、ガイド溝１５とガイド溝１９との間で交互に切り替わる。ガイド溝１５はキャップ３０をペン先２０の封止状態から封止解除状態へと移動させ、ガイド溝１９はキャップ３０をペン先２０の封止解除状態から封止状態へと移動させるのに適した形状を備えているので、キャップ３０のキャップ部３０ｃがペン先２０の封止状態と封止解除状態との往復動作を確実に行うことができるようになる。
【００３５】
ガイド３６は、溝深さが浅くなる各ガイド溝の溝底によって押されることで、貫通孔３０ｅを摺動して案内されるガイド溝が、ガイド溝１５とガイド溝１９との間で交互に切り替わるが、溝深さが浅くなるガイド溝の溝底によって押される以外で切り替わることのないような適度な摩擦力を持って、貫通孔３０ｅに対して摺動可能となっていると好ましい。
【００３６】
また、キャップ３０のキャップ部３０ｃは、２つのアーム３０ｂ、３０ｂによって支持されており、２つのアーム３０ｂ、３０ｂを介してノックスプリング３４のスプリング力が伝達されるようになっているので、ペン先２０の封止状態をバランスよく安定して保持することができる。
【００３７】
この例では、キャップ３０をペン先２０の封止状態から封止解除状態へと移動させるガイド溝１５が軸筒１０に形成され、キャップ３０をペン先２０の封止解除状態から封止状態へと移動させるガイド溝１９が筆記体１６に形成されていたが、これに限るものではなく、キャップ３０をペン先２０の封止状態から封止解除状態へと移動させるガイド溝が筆記体に形成され、キャップ３０をペン先２０の封止解除状態から封止状態へと移動させるガイド溝１９が軸筒１０に形成されてもよく、または軸筒１０内のいずれかの部材に形成されて、軸筒内に設けられていてもよい。  
【図面の簡単な説明】
【００３８】
【図１】本発明の筆記具の実施形態を表す全体縦断面図である。
【図２】（ａ）は軸筒の縦断面図、（ｂ）は（ａ）の２ｂ−２ｂ線に沿って見た断面図である。
【図３】筆記体の側面図である。
【図４】（ａ）は筆記体の縦断面図、（ｂ）は（ａ）の４ｂ−４ｂ線に沿って見た断面図である。
【図５】軸筒に形成されたガイド溝（実線）と筆記体に形成されたガイド溝（破線）を表す図である。
【図６】（ａ）はキャップの縦断面図、（ｂ）はキャップの（ａ）と９０度異なる面で切った縦断面図、（ｃ）はキャップの背面図である。
【図７】（ａ）はノック部材の縦断面図、（ｂ）は（ａ）の７ｂ−７ｂ線に沿って見た断面図である。
【図８】キャップが封止解除状態にあるときの筆記具の正面図である。
【図９】キャップの封止解除状態と封止状態との移行をガイドの移動と共に表す横断面図である。
【図１０Ａ】キャップの封止解除状態にあるときの筆記具の縦断面図である。
【図１０Ｂ】図１０Ａからキャップが封止状態へと移行する途中図である。
【図１０Ｃ】図１０Ｂに続くキャップが封止状態へと移行する途中図である。
【図１０Ｄ】図１０Ｃに続くキャップが封止状態へと移行する途中図である。
【図１０Ｅ】図１０Ｄに続くキャップが封止状態へと移行する途中図である。
【図１０Ｆ】図１０Ｅに続くキャップの封止状態にあるときの縦断面図である。
【図１１】キャップが封止状態にあるときの筆記具の正面図である。
【図１２Ａ】キャップが封止状態にあるときの筆記具の縦断面図である。
【図１２Ｂ】図１２Ａからキャップが封止解除状態へと移行する途中図である。
【図１２Ｃ】図１２Ｂに続くキャップが封止解除状態へと移行する途中図である。
【図１２Ｄ】図１２Ｃに続くキャップが封止解除状態へと移行する途中図である。
【図１２Ｅ】図１２Ｄに続くキャップが封止解除状態へと移行する途中図である。
【図１２Ｆ】図１２Ｅに続くキャップの封止解除状態にあるときの縦断面図である。
【図１３】内部に空間部を設けて、外表面に突起部を形成するようにしたガイドの他の実施形態を示す図である。
【符号の説明】
【００３９】
１０  軸筒
１５  ガイド溝（第２ガイド路）
１５ａ  前後溝部（第２ガイド部）
１５ｂ  前後溝部（第１ガイド部）
１５ｃ  中央部
１６  筆記体
１９  ガイド溝(第１ガイド路)
１９ａ  前後溝部（第１ガイド部）
１９ｂ  前後溝部（第２ガイド部）
１９ｃ  中央部
２０  ペン先（筆記体の先端部）
３０  キャップ
３０ｂ  アーム部
３０ｃ  キャップ部
３２  ノック部材（操作部材）
３４  付勢部材
３６  ガイド
【図１】
2008110580.tif 000003
【図２】
2008110580.tif 000004
【図３】
2008110580.tif 000005
【図４】
2008110580.tif 000006
【図５】
2008110580.tif 000007
【図６】
2008110580.tif 000008
【図７】
2008110580.tif 000009
【図８】
2008110580.tif 000010
【図９】
2008110580.tif 000011
【図１０Ａ】
2008110580.tif 000012
【図１０Ｂ】
2008110580.tif 000013
【図１０Ｃ】
2008110580.tif 000014
【図１０Ｄ】
2008110580.tif 000015
【図１０Ｅ】
2008110580.tif 000016
【図１０Ｆ】
2008110580.tif 000017
【図１１】
2008110580.tif 000018
【図１２Ａ】
2008110580.tif 000019
【図１２Ｂ】
2008110580.tif 000020
【図１２Ｃ】
2008110580.tif 000021
【図１２Ｄ】
2008110580.tif 000022
【図１２Ｅ】
2008110580.tif 000023
【図１２Ｆ】
2008110580.tif 000024
【図１３】
2008110580.tif 000025